(57)【要約】【課題】ユーザが積極的に省エネモードを活用するように心理的に仕向けることができる画像形成装置を提供すること目的とする。【解決手段】１つ以上の装置機能を備えるとともに、動作待機中の待機モード、および、省エネモードを備えた画像形成装置であって、消費電力を測定する消費電力測定手段を備え、前記装置機能をおのおの実行中の動作別モード、待機モード、および、省エネモードのそれぞれにおいて、前記消費電力測定手段の測定値を所定周期でサンプリングして記録するようにしたものである。【選択図】        図１
2007295433.tif 000002
【特許請求の範囲】
【請求項１】
１つ以上の装置機能を備えるとともに、動作待機中の待機モード、および、省エネモードを備えた画像形成装置であって、
消費電力を測定する消費電力測定手段を備え、
前記装置機能をおのおの実行中の動作別モード、待機モード、および、省エネモードのそれぞれにおいて、前記消費電力測定手段の測定値を所定周期でサンプリングして記録することを特徴とする画像形成装置。
【請求項２】
１つ以上の装置機能を備えるとともに、動作待機中の待機モード、および、省エネモードを備えた画像形成装置であって、
消費電力を測定する消費電力測定手段を備え、
前記装置機能をおのおの実行中の動作別モード、待機モード、および、省エネモードのそれぞれにおいて、前記消費電力測定手段の測定値を所定周期でサンプリングして記録し、
前記記録したサンプリング値に基づいて所定態様の統計情報を作成し、当該統計情報を出力することを特徴とする画像形成装置。
【請求項３】
前記消費電力測定手段は、交流消費電力と、各直流系統毎の直流消費電力を測定するとともに、
前記サンプリング値には、前記交流消費電力と各直流系統毎の直流消費電力のサンプリング値が含まれることを特徴とする請求項１または請求項２記載の画像形成装置。
【請求項４】
前記消費電力測定手段は、交流消費電力と、各直流系統毎の直流消費電力を測定するとともに、
前記サンプリング値には、前記交流消費電力、各直流系統毎の直流消費電力、および、各直流系統毎の電力効率のサンプリング値が含まれることを特徴とする請求項１または請求項２記載の画像形成装置。
【請求項５】
さらに、電力課金情報を記憶する課金情報記憶手段を備え、
前記統計情報には、前記省エネモードにおける消費電力の削減量と、当該削減量と前記電力課金情報に基づいて定まる電力コスト削減量を含むことを特徴とする請求項２または請求項３または請求項４記載の画像形成装置。
【請求項６】
さらに、炭酸ガス−電力換算情報を記憶する換算情報記憶手段を備え、
前記統計情報には、前記省エネモードにおける消費電力の削減量と、当該削減量と前記炭酸ガス−電力換算情報に基づいて定まる炭酸ガス削減量を含むことを特徴とする請求項２または請求項３または請求項４記載の画像形成装置。
【請求項７】
１つ以上の装置機能を備えるとともに、動作待機中の待機モード、および、省エネモードを備えた画像形成装置の制御方法であって、
消費電力を測定する消費電力測定手段を備え、
前記装置機能をおのおの実行中の動作別モード、待機モード、および、省エネモードのそれぞれにおいて、前記消費電力測定手段の測定値を所定周期でサンプリングして記録することを特徴とする画像形成装置の制御方法。
【請求項８】
１つ以上の装置機能を備えるとともに、動作待機中の待機モード、および、省エネモードを備えた画像形成装置の制御方法であって、
消費電力を測定する消費電力測定手段を備え、
前記装置機能をおのおの実行中の動作別モード、待機モード、および、省エネモードのそれぞれにおいて、前記消費電力測定手段の測定値を所定周期でサンプリングして記録し、
前記記録したサンプリング値に基づいて所定態様の統計情報を作成し、当該統計情報を出力することを特徴とする画像形成装置の制御方法。
【請求項９】
さらに、電力課金情報を記憶するとともに、
前記統計情報には、前記省エネモードにおける消費電力の削減量と、当該削減量と前記電力課金情報に基づいて定まる電力コスト削減量を含むことを特徴とする請求項８記載の画像形成装置の制御方法。
【請求項１０】
さらに、炭酸ガス−電力換算情報を記憶するとともに、
前記統計情報には、前記省エネモードにおける消費電力の削減量と、当該削減量と前記炭酸ガス−電力換算情報に基づいて定まる炭酸ガス削減量を含むことを特徴とする請求項８記載の画像形成装置の制御方法。
【請求項１１】
１つ以上の装置機能を備えるとともに、動作待機中の待機モード、および、省エネモードを備えた画像形成装置に実装するプログラムであって、
前記装置機能をおのおの実行中の動作別モード、待機モード、および、省エネモードのそれぞれにおいて、装置の消費電力の測定値を所定周期でサンプリングして記録することを特徴とするプログラム。
【請求項１２】
１つ以上の装置機能を備えるとともに、動作待機中の待機モード、および、省エネモードを備えた画像形成装置に実装するプログラムあって、
前記装置機能をおのおの実行中の動作別モード、待機モード、および、省エネモードのそれぞれにおいて、装置の消費電力の測定値を所定周期でサンプリングして記録し、
前記記録したサンプリング値に基づいて所定態様の統計情報を作成し、当該統計情報を出力することを特徴とするプログラム。
【請求項１３】
請求項１１または請求項１２に記載のプログラムを格納した記憶媒体。
【発明の詳細な説明】
【技術分野】
【０００１】
本発明は、１つ以上の装置機能を備えるとともに、動作待機中の待機モード、および、省エネモードを備えた画像形成装置およびその制御方法、および、プログラムおよび記憶媒体に関する。
【背景技術】
【０００２】
従来、複写機、プリンタ、複合機、および、ファクシミリ装置など、少なくとも画像形成機能を備える画像形成装置では、省電力のために省エネモードを備え、待機中の電力消費量を削減できるようにしている。
【０００３】
また、通常動作モード（非省エネモード中の動作モードをいう（以下同じ））と省エネモード中とで、消費電力の違いをユーザに提示できるようにしたものとしては、特許文献１に開示されているものなどが提案されている。
【特許文献１】特開２００３−３０９６８４号公報
【発明の開示】
【発明が解決しようとする課題】
【０００４】
ところで、省エネモードを備えた画像形成装置では、省エネモード中にユーザ操作が要求された場合、省エネモードから通常動作モードに復帰するまでに１５秒程度の時間を要するため、ユーザは、その間、作業を行うことができず、待機する必要がある。
【０００５】
このように、通常動作モードに復帰するまでの待機時間が比較的長い時間要するため、ユーザによっては、省エネモード機能を無効にして、自分の操作要求に対する画像形成装置の動作レスポンスが最短になるように、動作を設定するという事態を生じている。
【０００６】
この場合、画像形成装置がせっかく備えている省エネモードが有効活用されず、省エネ効果を得られないという不具合を生じる。
【０００７】
なお、特許文献１に開示されたものでは、目安の電力基準値をもとに動作モード毎の消費電力量を統計、また動作時間の統計を表示または出力などしていたが、消費電力は、装置の稼働状況によって変動するので、正確な情報をユーザに提示することができず、却って、ユーザの不信感を誘導するという不具合を生じていた。
【０００８】
本発明は、かかる実情に鑑みてなされたものであり、ユーザが積極的に省エネモードを活用するように心理的に仕向けることができる画像形成装置を提供すること目的とする。
【課題を解決するための手段】
【０００９】
本発明は、１つ以上の装置機能を備えるとともに、動作待機中の待機モード、および、省エネモードを備えた画像形成装置であって、消費電力を測定する消費電力測定手段を備え、前記装置機能をおのおの実行中の動作別モード、待機モード、および、省エネモードのそれぞれにおいて、前記消費電力測定手段の測定値を所定周期でサンプリングして記録するようにしたものである。
【００１０】
また、１つ以上の装置機能を備えるとともに、動作待機中の待機モード、および、省エネモードを備えた画像形成装置であって、消費電力を測定する消費電力測定手段を備え、前記装置機能をおのおの実行中の動作別モード、待機モード、および、省エネモードのそれぞれにおいて、前記消費電力測定手段の測定値を所定周期でサンプリングして記録し、前記記録したサンプリング値に基づいて所定態様の統計情報を作成し、当該統計情報を出力するようにしたものである。
【００１１】
また、前記消費電力測定手段は、交流消費電力と、各直流系統毎の直流消費電力を測定するとともに、前記サンプリング値には、前記交流消費電力と各直流系統毎の直流消費電力のサンプリング値が含まれるようにしたものである。
【００１２】
また、前記消費電力測定手段は、交流消費電力と、各直流系統毎の直流消費電力を測定するとともに、前記サンプリング値には、前記交流消費電力、各直流系統毎の直流消費電力、および、各直流系統毎の電力効率のサンプリング値が含まれるようにしたものである。
【００１３】
また、さらに、電力課金情報を記憶する課金情報記憶手段を備え、前記統計情報には、前記省エネモードにおける消費電力の削減量と、当該削減量と前記電力課金情報に基づいて定まる電力コスト削減量を含むようにしたものである。
【００１４】
また、さらに、炭酸ガス−電力換算情報を記憶する換算情報記憶手段を備え、前記統計情報には、前記省エネモードにおける消費電力の削減量と、当該削減量と前記炭酸ガス−電力換算情報に基づいて定まる炭酸ガス削減量を含むようにしたものである。
【００１５】
また、１つ以上の装置機能を備えるとともに、動作待機中の待機モード、および、省エネモードを備えた画像形成装置の制御方法であって、消費電力を測定する消費電力測定手段を備え、前記装置機能をおのおの実行中の動作別モード、待機モード、および、省エネモードのそれぞれにおいて、前記消費電力測定手段の測定値を所定周期でサンプリングして記録するようにしたものである。
【００１６】
また、１つ以上の装置機能を備えるとともに、動作待機中の待機モード、および、省エネモードを備えた画像形成装置の制御方法であって、消費電力を測定する消費電力測定手段を備え、前記装置機能をおのおの実行中の動作別モード、待機モード、および、省エネモードのそれぞれにおいて、前記消費電力測定手段の測定値を所定周期でサンプリングして記録し、前記記録したサンプリング値に基づいて所定態様の統計情報を作成し、当該統計情報を出力するようにしたものである。
【００１７】
また、さらに、電力課金情報を記憶するとともに、前記統計情報には、前記省エネモードにおける消費電力の削減量と、当該削減量と前記電力課金情報に基づいて定まる電力コスト削減量を含むようにしたものである。
【００１８】
また、さらに、炭酸ガス−電力換算情報を記憶するとともに、前記統計情報には、前記省エネモードにおける消費電力の削減量と、当該削減量と前記炭酸ガス−電力換算情報に基づいて定まる炭酸ガス削減量を含むようにしたものである。
【００１９】
また、１つ以上の装置機能を備えるとともに、動作待機中の待機モード、および、省エネモードを備えた画像形成装置に実装するプログラムであって、前記装置機能をおのおの実行中の動作別モード、待機モード、および、省エネモードのそれぞれにおいて、装置の消費電力の測定値を所定周期でサンプリングして記録することを特徴とするプログラムである。
【００２０】
また、１つ以上の装置機能を備えるとともに、動作待機中の待機モード、および、省エネモードを備えた画像形成装置に実装するプログラムあって、前記装置機能をおのおの実行中の動作別モード、待機モード、および、省エネモードのそれぞれにおいて、装置の消費電力の測定値を所定周期でサンプリングして記録し、前記記録したサンプリング値に基づいて所定態様の統計情報を作成し、当該統計情報を出力することを特徴とするプログラムである。
【００２１】
また、請求項１１または請求項１２に記載のプログラムを格納した記憶媒体である。
【発明の効果】
【００２２】
したがって、本発明によれば、動作モード毎の消費電力を実測して、ユーザに提示することができるので、装置の稼働状況に応じた、信頼性の高い消費電力量をユーザに提示することができ、ユーザに省エネ効果を認識させることができ、その結果、ユーザが省エネモードを積極的に使用するように誘導することができる。
【発明を実施するための最良の形態】
【００２３】
以下、添付図面を参照しながら、本発明の実施の形態を詳細に説明する。
【００２４】
図１は、本発明の一実施例にかかる画像形成装置の一例を示している。この画像形成装置、複写機能、画像読取機能、プリンタ機能、ネットワークプリンタ機能、スキャン・ツー・イーメール機能などを備えている。
【００２５】
同図において、この画像形成装置は、装置の動作制御などを行うシステム管理部ＵＳ、画像読取機能および画像形成機能などを実現するためのエンジンユニットＵＥ、および、システム管理部ＵＳおよびエンジンユニットＵＥに電力を供給するための電源ユニットＵＰの３つのユニットから構成されている。
【００２６】
システム管理部ＵＳにおいて、システム制御部１は、この画像形成装置の各部の動作を制御するためのものである、操作表示部２は、ユーザがこの画像形成装置を操作するためのものであり、各種の操作キーおよび表示装置などからなり、バッテリ３は、システム制御部１が備える内蔵メモリ（図示略）および時計回路（図示略）を、主電源がオフにされている状態でも駆動するためのものである。
【００２７】
磁気ディスク装置４は、例えば、システム制御部１が実行する各種プログラムや、消費電力履歴情報テーブル（後述）などの各種サンプリングデータなどを記憶するためのものであり、ホストインタフェース回路５は、パーソナルコンピュータ装置などの外部ホスト装置へ接続し、外部ホスト装置との間で、印刷ジョブ情報などの各種データをやりとりするためのものであり、ネットワーク通信部６は、例えば、ローカルエリアネットワークなどのネットワークへ接続し、ネットワークを介し、他の端末装置との間で種々の情報をやりとりするためのものである。
【００２８】
エンジンユニットＵＥにおいて、エンジン制御部７は、このエンジンユニットＵＥの動作を制御するとともに、システム制御部１と種々の情報をやりとりし、動作モードや動作タイミングなどを制御する。
【００２９】
原稿読込部８は、スキャナ機能を実現するためものであり、自動原稿搬送ユニット９は、原稿読込部８に読取原稿を１枚ずつ給紙するためのものである。
【００３０】
書込部１０は、例えば、レーザビームなどを用いて画像形成駆動部１２の感光体ユニット（図示略）に静電潜像を書き込むためのものであり、給紙トレイ１１は、画像形成駆動部１２に原稿用紙を１枚ずつ給紙するためのものであり、画像形成駆動部１２は、静電写真プロセスを用い、感光体ユニットに書き込まれた静電潜像をトナー現像し、そのトナー像を記録紙に転写した後に、記録紙上に熱定着するためのものであり、ヒータ駆動部１４は、画像形成駆動部１２の定着ヒータを駆動するためのものである。また、このヒータ駆動部１４は、エンジン制御部７により動作制御される。
【００３１】
電源ユニットＵＰにおいて、商用電源は、交流電力検出部１５を介し、直流電源ユニット１６，１７に供給されるとともに、ヒータ駆動部１４を介して、画像形成駆動部１２に供給される。
【００３２】
交流電力検出部１５は、装置で消費される商用電源の電力を検出するためのものであり、その検出値ＳＤ１は、システム制御部１に出力される。この交流電力検出部１５は、より詳細には、電圧検出部と、電流検出部に分かれる。電圧と電流の２つの値を読み取り、掛け算した結果を消費電力とし、記録する。なお、記録する際、掛け算結果のみでなく、電圧と電流の元データもそのまま記録しても良い。また、電圧の具体的な検出は一般的な商用電源のＬ（ライン）とＮ（ニュートラル）を全波整流し、それをトランスなどで低圧化して、その数値をＡ／Ｄ変換で読み取る方法でも良い。電流の具体的な検出は、Ｌ（ライン）に流れる電流値を磁束に変換し、それを電圧に変換して、Ａ／Ｄ変換で読みってもよいし、電流値検出抵抗を挿入して読み取っても良い。また、流れる電流により温度が変化する素子を挿入して、読み取る方法でも良い。
【００３３】
直流電源ユニット１６は、入力される商用電源に基づいて、エンジンユニットＵＥのロジック回路用の直流電源ＶＣ１（例えば、５ボルト）と、エンジンユニットＵＥに必要な駆動部用の直流電源ＶＤ１（例えば、２４ボルト）を形成するものであり、直流電源ＶＣ１，ＶＤ１は、それぞれエンジンユニットＵＥの必要な箇所に供給される。また、この直流電源ユニット１６の動作は、システム制御部１から出力される信号ＳＳ１に基づいて制御される。
【００３４】
直流電源ユニット１７は、入力される商用電源に基づいて、システム管理部ＵＳのロジック回路用の直流電源ＶＣ２（例えば、５ボルト）と、システム管理部ＵＳに必要な駆動部用の直流電源ＶＤ２（例えば、１２ボルト）を形成するものであり、直流電源ＶＣ２，ＶＤ２は、それぞれシステム管理部ＵＳの必要な箇所に供給される。また、この直流電源ユニット１７は、主電源スイッチ（図示略）がオン投入されている場合には、常時、動作する。
【００３５】
以上の構成で、本実施例の動作について、図２を参照しながら、次に説明する。
【００３６】
（１）起動時
まず、主電源スイッチがＯＮにされると、電源ユニット部に商用電源が入力し、直流電源ユニット１７がまず立ち上がり、電源をシステム管理部ＵＳに供給する。
【００３７】
システム制御部１のＣＰＵ（中央処理装置；図示略）が、ブート用メモリの初期プログラムを読み込み、そして磁気ディスク装置４に格納された制御用プログラムを読み出し、画像形成装置全体の起動が開始する。
【００３８】
そして、システム制御部１は直流電源ユニット１６をオンして、エンジンユニット部ＵＥに電源を供給する。同時に交流電力検出部１５のデータを読み込み、システム制御部１のメモリに消費電力のデータと時刻を記録する。また、動作モードは立ち上がりモードとする。
【００３９】
以降、一定周期で消費電力のデータを交流電力検出部１５から読み込み、メモリに記録する。本実施例では、例えば、１秒周期でデータの読み込みと記録を行う。
【００４０】
また、記録したデータ量が一定以上に達すると、メモリ内のデータを磁気ディスク装置４に書き込むとともに、その書き込んだデータはメモリから消去する。
【００４１】
ここで、記録の周期は１秒ではなく、もっと短い周期、例えば０．１秒単位でも良いし、長い周期、例えば３秒周期でも良い。ただし、周期をあまり短くしても、システム制御部の処理負担が大きくなり、また、消費するメモリ量および磁気ディスク装置４に必要な記憶容量が増大するし、それに関わらず周期を短くして精度を上げるメリットがあまりない。
【００４２】
逆に周期を長くしすぎるとシステム制御部１の処理負担が小さくなり、消費するメモリ量および磁気ディスク装置４に必要な記憶容量が小さくなるが、把握した消費電力と、実消費電力の誤差が大きくなる可能性がある。なお、一定周期でデータを読み込み、ある回数に達するとデータを平均化して、メモリ、あるいは磁気ディスク装置４に記録する方法を取っても良い。
【００４３】
さて、消費電力データの記録を開始してから、システム制御部１はエンジン制御部７に指令を与え、エンジン制御部７とつながる原稿読込部８、自動搬送ユニット９、書込部１０、給紙トレイ１１、画像形成駆動部１２、および、後処理周辺機１３のイニシャル動作を行わせる。また、ヒータ駆動部１４を駆動して、画像形成駆動部１２の定着ヒータの温度を上昇させる。
【００４４】
イニシャル動作を行い、定着ヒータがコピー可能な目標温度に到達すると、システム制御部１はモードが「立ち上がり」から「スタンバイモード」に切り替わったことを認識し、「スタンバイモード」とその切り替わり時刻を記録する。また、交流電力検出部１５のデータは「立ち上がり」モードと同じく１秒周期で読み込みと記録を行う。スタンバイモードのまま、他の動作モードに切り替わるまで、その状態を維持する。
【００４５】
（２）コピー出力モード
原稿読取部８のコンタクトガラスに原稿を置く、あるいは自動原稿搬送ユニット９に原稿を置いて、操作表示部２のコピースタートボタン（図示しない）を押下すると、システム制御部１はコピースタートを検知し、エンジン制御部７に指令を与える。
【００４６】
その結果として、エンジン制御部７は原稿読込部８を動作させ、読み取った原稿のデータをシステム制御部１に送り、メモリ、あるいは磁気ディスク装置４に保存させる。
【００４７】
次に、メモリあるいは磁気ディスク装置４のデータを書込部１０に送り、画像形成駆動部１２を駆動して、印字が行われる。
【００４８】
システム制御部１は、コピースタートと同時に、モードが「コピーモード」に切り替わったことを認識し、「コピーモード」とその切り替わり時刻を記録する。また、交流電力検出部１５のデータは「スタンバイモード」と同じく１秒周期で読み込みと記録を行う。
【００４９】
コピーが完了すると、モードはスタンバイモードに切り替わる。以降の処理は、起動時に「立ち上がり」→「スタンバイモード」に切り替わったときと同様である。
【００５０】
（３）プリント出力モード
ネットワーク通信部６やホストインタフェース回路５などのインターフェースから、プリント指示と印刷データを受信すると、システム制御部１はエンジン制御部７に指令を与える。
【００５１】
その結果として、エンジン制御部７は印字データを書込部１０に送り、画像形成駆動部１２を駆動して、印字を行わせる。システム制御部１は、プリント指示のデータ受信と同時に、モードを「プリントモード」に切り替え、「プリントモード」とその切り替わり時刻を記録する。
【００５２】
また、交流電力検出部１５のデータは「スタンバイモード」と同じく１秒周期で読み込みと記録を行う。プリントが完了すると、モードはスタンバイモードに切り替わる。以降の処理は、起動時に「立ち上がり」→「スタンバイモード」に切り替わったときと同様である。
【００５３】
（４）スキャンモード
ユーザがコンタクトガラスに原稿を置く、あるいは自動原稿搬送部に原稿を置いて、操作表示部２をスキャンモードに設定し、スタートボタン（図示しない）を押下すると、システム制御部１はスキャンスタートを検知し、エンジン制御部７に指令を与える。
【００５４】
その結果として、エンジン制御部７は原稿読込部８を動作させ、読み取った原稿のデータを逐次システム制御部１に送り、メモリ、あるいは磁気ディスク装置４に保存させる。システム制御部１は、前記スタートを押されたのを検知すると同時に、モードが「スキャンモード」に切り替わったことを認識し、「スキャンモード」とその切り替わり時刻を記録する。
【００５５】
また、交流電力検出部１５のデータは「スタンバイモード」と同じく１秒周期で読み込みと記録を行う。スキャンが完了すると、モードはスタンバイモードに切り替わる。以降の処理は、起動時に「立ち上がり」→「スタンバイモード」に切り替わったときと同様である。
【００５６】
なお、スキャンの開始は操作表示部２のスタートボタンを押す以外に、ネットワーク通信部６を通じて、パソコン上から開始指示を送ることもできる。その場合も、処理は同様である。
【００５７】
（５）省エネモードＡ（低電力モード）
画像形成駆動部１２には、図示していない定着ユニットが実装されており（内部に定着ヒータを搭載）、スタンバイモードでは、コピーをすぐ実行可能な温度に保つ制御を行っている。
【００５８】
例えば、スタンバイモードでは１７０℃の温度を維持するよう制御を行ったりしている。この温度を維持するため、画像形成装置は大きな電力を消費しているため、画像形成装置をあまり使わない場合は、コピー、プリントをすぐ実行可能な温度から数十℃下げておくと、電力の節約を図ることができる。
【００５９】
このように定着ユニットの温度をある程度下げたり、また操作表示部２のバックライトを消灯したり、画像形成装置内のあるモータを停止させておくなどで電力節減を図るモードがある。その１つが低電力モードである。
【００６０】
低電力モードは、画像形成装置の操作部で、一定時間画像形成装置を使用しないと自動的に移行するよう設定を行うことができる（移行までの時間や、移行許可の有無を設定できる）。
【００６１】
システム制御部１は、低電力モードに移行すると、モードが「低電力モード」に切り替わったことを認識し、「低電力モード」とその切り替わり時刻を記録する。
【００６２】
また、交流電力検出部１５のデータは「スタンバイモード」と同じく１秒周期で読み込みと記録を行う。画像形成装置の何らかの操作が行われたり、ホストインタフェース回路５およびネットワーク通信部６から指示を受信すると、低電力モードを解除する。
【００６３】
以降の処理は、上述の（１）〜（４）と同じである。なお、低電力モードを解除してから、定着ユニットの温度がコピーをすぐ実行可能な一定温度に達するまでは、「立ち上がりモード」の扱いとなる。
【００６４】
（６）省エネモードＢ（スリープモード）
低電力モードより大幅に消費電力を下げるモードである。
【００６５】
すなわち、本実施例では、スリープモードでは定着ユニットの温度維持制御を行わず、また直流電源ユニット１６もオフし、直流電源ユニット１７のみＯＮにし、操作表示部２も消灯させた状態である。
【００６６】
直流電源ユニット１７のみＯＮしておくことで、システム管理部ＵＳのみ動作しており、ホストインタフェース回路５およびネットワーク通信部６から印刷指示などのデータ受信があったとき、スリープモードをただちに解除し、画像形成装置を立ち上げてプリント開始を行ったり、あるいは画像形成装置の内部データを送れという指示を受信したとき、システム制御部１で管理しているデータをホストインタフェース回路５およびネットワーク通信部６を介して送信する。
【００６７】
スリープモードの移行は低電力モードと同じように、操作表示部２で移行時間と移行有無を設定可能である。また、操作表示部２に設けられるサブ電源キー（図示略）を押下することでも、スリープモードに移行可能である。
【００６８】
システム制御部１は、スリープモードに移行させると、モードが「スリープモード」に切り替わったことを認識し、「スリープモード」とその切り替わり時刻を記録する。また、交流電力検出部１５のデータは「スタンバイモード」と同じく１秒周期で読み込みと記録を行う。
【００６９】
スリープモードの解除方法は、ホストインタフェース回路５およびネットワーク通信部６から指示を受信するか、あるいは、上述した電源サブキーを押下するかである。スリープモードを解除後の処理は、上述の（１）〜（４）と同じである。なお、スリープモードを解除してから、定着ユニットの温度がコピーをすぐ実行可能な一定温度に達するまでは、「立ち上がりモード」の扱いとなる。
【００７０】
（７）省エネモードＣ（オフモード）
ホストインタフェース回路５およびネットワーク通信部６からデータ受信待ちをしない省エネモードである。すなわち、本実施例のオフモードでは、定着ユニットの温度維持制御を行わず、また、直流電源ユニット１６もオフし、直流電源ユニット１７のみＯＮにした状態である。更にシステム管理部ＵＳでも稼動しているデバイスはシステム制御部１のごく一部のみにとどめている。こうすることで、大幅な電力削減を図っている。
【００７１】
オフモードの移行は低電力モード、スリープモードと同じように、操作表示部２で移行時間と移行有無を設定する。また、上述したサブ電源キーを押下することでも、オフモードに移行可能である（この場合、LANなどのインターフェースが無効時。インターフェース機能が有効時はオフモードではなく、スリープモードに移行する）。
【００７２】
システム制御部１は、オフモードに移行すると、モードが「オフモード」に切り替わったことを認識し、「オフモード」とその切り替わり時刻を記録する。また、交流電力検出部１５の読み取り機能も非稼動状態となるため、消費電力の検出は実施しない。
【００７３】
ただし、オフモードの消費電力は定着ヒータも完全消灯しており、モータやファンなどの駆動もないため、消費電力はほぼ一定のため、事前にメモリに記録させておくテーブルデータを用いることで充分代用できる。
【００７４】
例えば、オフモード時の消費電力は１０Ｗである。オフモード移行と、その切り替わり時刻のみ記録し、システム制御部は前述のとおり、システム制御部の一部の機能のみ動作させ、その他機能のほとんどを非稼動状態に移行させる（電力を消費しない状態に移行させる）。
【００７５】
オフモードの解除方法は、上述した電源サブキーを押下することである。
【００７６】
電源サブキーが押され、オフモードが解除された後の処理は、上述した主電源スイッチＯＮ後の動作フローと同様である。そのため、オフモードを解除してから、定着ユニットの温度がコピーをすぐ実行可能な一定温度に達するまでは、「立ち上がりモード」の扱いとなる。
【００７７】
（８）プリント出力  ＋  スキャンモード
本実施例の画像形成装置は、プリント出力時に、スキャン動作の並行動作を行うことが出来る。
【００７８】
なお、ここでいうプリント出力は、コピー出力モードで、原稿読み込みが終了してコピー印字動作のみを行っていた場合も同様である。逆に、スキャン動作中に、ホストインタフェース回路５およびネットワーク通信部６を介して、プリント出力を行わせた場合も同様である。
【００７９】
プリント出力時には、システム制御部で「プリントモード」であることを認識し、「プリントモード」と、その切り替わり時刻を記録し、また１秒周期で消費電力の検出と記録を行う。
【００８０】
そのときに、スキャン動作を並行動作させた場合、並行動作中は、並行動作前と並行動作中の電力の差分を、スキャンモードの消費電力とし、並行動作前の電力相当分はプリントモードの消費電力として、記録する。
【００８１】
図２では、先にプリント出力モードが動作し、プリント継続中にスキャナ動作が発生している。図のようにスキャン動作発生前後の電力差分を算出することで、プリント出力の消費電力と、スキャンの消費電力とを分けることができ、記録時もプリントの消費電力と、スキャンの消費電力をそれぞれ個別に記録する。
【００８２】
また、図２では、プリント出力とスキャンが並行動作するが、途中でプリント出力が先に終了している。この時点でプリント出力の消費電力の記録は終了し、以降はスキャンのみの消費電力とする。
【００８３】
また、図２の前半では立ち上がり、スタンバイ、コピー時の消費電力の遷移も示している。画像形成装置は一定周期で消費電力を記録しているが、電力値を縦軸、時間を横軸にして、電力をプロットすると、図２のようなグラフになる。
【００８４】
さて、本実施例では、交流電力検出部１５で検出した電力値を、図３（ａ）に示すような消費電力履歴情報テーブルに格納する。この消費電力履歴情報テーブルは、この画像形成装置の時系列の動作モード毎に作成される複数の消費電力履歴情報を記憶したものである。
【００８５】
消費電力履歴情報は、例えば、同図（ｂ）に示すように、動作モード情報、測定開始時刻をあらわす時刻情報、サンプリング周期（オプション）、および、複数の電力サンプリング値からなる。
【００８６】
ここで、電力サンプリング値は、交流電力検出部１５で検出した電力値をそのまま用いても良いし、同図（ｃ）に示すように、交流電力検出部１５で検出した電圧値、電流値、および、算出した電力値を用いるようにしても良い。
【００８７】
また、サンプリング周期は、例えば、１秒間に固定されるが、動作モード毎に異なるサンプリング周期を設定することもできる。その場合、消費電力履歴情報のサンプリング周期には、設定されたサンプリング周期をあらわす値を格納する。また、サンプリング周期が固定の場合は、このサンプリング周期の値は参照されないので、例えば、無効値を設定しても良い。
【００８８】
図４は、消費電力履歴情報のサンプリングに関する処理の一例を示している。
【００８９】
まず、主電源スイッチがオンされると（処理１０１）、所定の起動処理が実行され（処理１０２）、上述したように各部の初期化処理が開始される（処理１０３）。
【００９０】
ここで、動作モードとして立上りモードを設定し（処理１０４）、消費電力履歴情報に動作モードと時刻を記録する（処理１０５）。この後は、初期処理が終了するまで、消費電力を１秒周期でサンプリングし、電力サンプリング値として、消費電力履歴情報に順次記録する（処理１０６、判断１０７のＮＯループ）。
【００９１】
初期処理が終了し、判断１０７の結果がＹＥＳになると、動作モードとしてスタンバイモードを設定し（処理１０８）、消費電力履歴情報に動作モードと時刻を記録する（処理１０９）。この後は、モード変更を検出するまで、消費電力を１秒周期でサンプリングし、電力サンプリング値として、消費電力履歴情報に順次記録する（処理１１０、判断１１１のＮＯループ）。
【００９２】
この後、モード変更を検出し、判断１１１の結果がＹＥＳになると、動作モードとして変更後の動作モードを設定し（処理１１２）、消費電力履歴情報に動作モードと時刻を記録する（処理１１３）。この後は、再度、モード変更を検出するまで、消費電力を１秒周期でサンプリングし、電力サンプリング値として、消費電力履歴情報に順次記録する（処理１１４、判断１１５のＮＯループ）。
【００９３】
そして、モード変更を検出して、判断１１５の結果がＹＥＳになると、処理１１２へ戻り、それ以降の処理を繰り返し実行する。
【００９４】
次に、このようにして記録した消費電力履歴情報のデータをどのように活用するかについて説明する。
【００９５】
まず、検出する電力量の精度は、例えば、図５に示すように、小数点第一位で四捨五入した値を適用することができる。また、同一モード中の積算電力量の精度は、小数点第一位で四捨五入した値を適用することができる。
【００９６】
そして、操作表示部２からユーザが表示設定を行うことで、時間別の消費電力の統計情報を作成し、図６（ａ）のような統計情報を表示させる。なお、同図記載の消費電力は上述したような積算電力表示であるが、平均電力を表示させてもよい。
【００９７】
また、同図（ｂ）のように、１日単位の動作モード別に、消費電力をまとめた統計情報を表示させてもよい。同図の消費電力は積算電力である。また、省エネモードの効果を確認するため、スタンバイモードの消費電力の検出値を参照して、低電力モード、スリープモードの効果量を計算させ表示させることが効果的である。
【００９８】
ここで、効果量の計算方法は、その日のスタンバイモードの平均電力を求め、この数値から、もし、低電力モードとスリープモードがそれぞれスタンバイモードだった場合、消費せざるを得なかった電力を計算する。したがって、次のように、低電力モードとスリープモードの各々の検出した消費電力の差分を引けば、効果量を算出できる。
スタンバイモードの平均電力：８００Ｗｈ／ｈ÷２時間＝４００Ｗｈ
低電力モードの効果量：５時間×４００Ｗｈ／ｈ−６００Ｗｈ／ｈ＝１４００Ｗｈ／ｈ
スリープモードの効果量：３時間×４００Ｗｈ／ｈ−１２０Ｗｈ／ｈ＝１０８０Ｗｈ／ｈ
【００９９】
ところで、例えば、その日のスタンバイモードの動作時間が、１０分以下などあまりに短い場合は、効果量の参照データとして使うには、ばらつきが大きく不適切の場合がある。そこで、１０分以下などの場合は、あらかじめテーブルデータとしてスタンバイモードの平均電力を記憶させておき、その日のスタンバイモードの動作時間が１０分より短い場合は、テーブルデータの平均電力を参照データとして、効果量の算出に使っても良い。
【０１００】
また、スリープモードではなく、オフモードに移行する画像形成装置でも同様であり、その場合の表示例を図６（ｃ）に示す。
【０１０１】
また、統計データの加工例を次に示す。なお、以下の説明では、消費電力の加工例であるが、電力料金を算出、あるいはＣＯ２を算出して、グラフ表示しても良い（後述）。
【０１０２】
例１）週単位の電力を加工した例を図７（ａ），（ｂ）に示す。この場合、省エネ（低電力、スリープ、オフ）モードが未使用時どうなるか、スタンバイモードの推測電力に置き換え、「省エネモード未使用時」の電力も並置してもよい。
【０１０３】
例２）日単位の電力を加工した例を図８（ａ），（ｂ）に示す。この場合、省エネ（低電力、スリープ、オフ）モードが未使用時どうなるか、スタンバイモードの推測電力に置き換え、「省エネモード未使用時」の電力も並置してもよい。
【０１０４】
例３）１ヶ月の電力の積算値を求めた例を図９，１０に示す。省エネ（低電力、スリープ、オフ）モードが未使用時どうなるか、スタンバイモードの推測電力に置き換え、「省エネモード未使用時」の電力も並置してもよい。
【０１０５】
例４）１日の電力遷移図を加工した例を図１１に示す。この場合、１日、あるいはある指定時間範囲（例えば午後１時から２時までなど）の電力遷移図を加工し、表示できても良い。
【０１０６】
ところで、省エネモードの効果をユーザに知らしめるためには、例えば、省エネ効果、すなわち、省エネモードを使用したために削減できた料金（コスト）、および、省エネモードを使用したために削減できた電力に対応して削減できた炭酸ガス量（ＣＯ２重量）を表示することが効果的である。
【０１０７】
そこで、例えば、図１２に示すような電力コスト設定画面を表示して、ユーザに電力コストを設定入力させる。また、図１３（ａ）に示すようなＣＯ２排出係数の設定画面を表示して、ユーザにＣＯ２排出係数（炭酸ガス量−電力換算値）を設定入力させる。
【０１０８】
そして、図１４（ａ），（ｂ）に示すように、消費電力の履歴表示に、電力コスト削減量、ＣＯ２排出量、および、ＣＯ２削減量を併記するようにする。
【０１０９】
ここで、電力コストの算出は、次の式を用いることができる。
【０１１０】
{（料金単価×１ヶ月の使用電力量）×（燃料調整費×１ヶ月の使用電力量）}×（１＋消費税）
【０１１１】
また、上述したように表示させた統計情報と同様の内容を、操作表示部２の設定でプリント出力、あるいは、ホストインタフェース回路５およびネットワーク通信部６を介して、パソコンなどから統計情報のプリント出力を指示し、用紙に印字させるようにしてもよい。
【０１１２】
また、ホストインタフェース回路５およびネットワーク通信部６を経由して、パソコンなどから指示を与えると、画像形成装置の統計情報をパソコンなどに読み出したり、または単位時間ごとの消費電力データを直接取り出し、パソコン画面上などに時系列で消費電力の遷移グラフを表示させるようにすることもできる。
【０１１３】
また、図１３（ｂ），（ｃ）に示すように、ユーザに保存期間または保存量を設定させ、その保存期間または保存量を超えた時点で、磁気ディスク装置４に記憶した消費電力履歴情報テーブルをクリアするように設定することもできる。
【０１１４】
このようにして、本実施例では、消費電力を一定周期でモニタしつつ、動作モード履歴を残しているので、動作モード毎の消費電力は目安の値ではなく、実際の消費電力を把握できるので、信頼性の高い電力データを使用者に提供できる。
【０１１５】
また、動作モード毎の動作時間、実消費電力を一覧表示させる機能があるので、使用者が画像形成装置をどの程度有効に活用しているか、特に省エネモードを有効に活用できているかを確認することができ、使用者の省エネ意識を高めることができる。
【０１１６】
また、動作モード毎の動作時間、実消費電力を紙にプリントアウトする機能があるので、使用者が画像形成装置をどの程度有効に活用しているか、特に省エネモードを有効に活用できているかを、管理・把握でき、使用者の省エネ意識を高めることができる。
【０１１７】
また、動作モード毎の動作時間、実消費電力、そして時間順の消費電力のデータを、ホストインタフェース回路５およびネットワーク通信部６などを介してパソコンなどに取り込める機能があるので、使用者が画像形成装置の使用状況と、電力遷移を管理・把握することができ、省エネ効果の確認、省エネ意識の向上を図ることができる。
【０１１８】
また、検出手段は装置のＡＣ部にあるため、画像形成装置全体の電力を検出することができる。
【０１１９】
また、電圧と電流をそれぞれ検出しているので、電力だけでなく、電圧・電流を表示、出力、データ送信することができ、電圧の安定供給状況、電流の遷移状況も使用者が確認することができる。
【０１２０】
図１５は、本発明の他の実施例にかかる画像形成装置の一例を示している。この画像形成装置、複写機能、画像読取機能、プリンタ機能、ネットワークプリンタ機能、スキャン・ツー・イーメール機能などを備えている。なお、同図において、図１と同一部分、および、相当する部分には、同一符号を付している。
【０１２１】
同図において、この画像形成装置は、装置の動作制御などを行うシステム管理部ＵＳ、画像読取機能および画像形成機能などを実現するためのエンジンユニットＵＥ、および、システム管理部ＵＳおよびエンジンユニットＵＥに電力を供給するための電源ユニットＵＰの３つのユニットから構成されている。
【０１２２】
システム管理部ＵＳにおいて、システム制御部１は、この画像形成装置の各部の動作を制御するためのものである、操作表示部２は、ユーザがこの画像形成装置を操作するためのものであり、各種の操作キーおよび表示装置などからなり、バッテリ３は、システム制御部１が備える内蔵メモリ（図示略）および時計回路（図示略）を、主電源がオフにされている状態でも駆動するためのものである。
【０１２３】
磁気ディスク装置４は、例えば、システム制御部１が実行する各種プログラムや、消費電力履歴情報テーブル（後述）などの各種サンプリングデータなどを記憶するためのものであり、ホストインタフェース回路５は、パーソナルコンピュータ装置などの外部ホスト装置へ接続し、外部ホスト装置との間で、印刷ジョブ情報などの各種データをやりとりするためのものであり、ネットワーク通信部６は、例えば、ローカルエリアネットワークなどのネットワークへ接続し、ネットワークを介し、他の端末装置との間で種々の情報をやりとりするためのものである。
【０１２４】
エンジンユニットＵＥにおいて、エンジン制御部７は、このエンジンユニットＵＥの動作を制御するとともに、システム制御部１と種々の情報をやりとりし、動作モードや動作タイミングなどを制御する。
【０１２５】
原稿読込部８は、スキャナ機能を実現するためものであり、自動原稿搬送ユニット９は、原稿読込部８に読取原稿を１枚ずつ給紙するためのものである。
【０１２６】
書込部１０は、例えば、レーザビームなどを用いて画像形成駆動部１２の感光体ユニット（図示略）に静電潜像を書き込むためのものであり、給紙トレイ１１は、画像形成駆動部１２に原稿用紙を１枚ずつ給紙するためのものであり、画像形成駆動部１２は、静電写真プロセスを用い、感光体ユニットに書き込まれた静電潜像をトナー現像し、そのトナー像を記録紙に転写した後に、記録紙上に熱定着するためのものであり、ヒータ駆動部１４は、画像形成駆動部１２の定着ヒータを駆動するためのものである。また、このヒータ駆動部１４は、エンジン制御部７により動作制御される。
【０１２７】
電源ユニットＵＰにおいて、商用電源は、交流電力検出部２０を介し、ヒータ駆動部１４へ加えられているとともに、交流電力検出部２１を介して、直流電源ユニット１６，１７へ加えられている。
【０１２８】
交流電力検出部２０は、画像形成駆動部１２の定着ヒータで消費される商用電源の電力を検出するためのものであり、その検出値ＳＤ１は、システム制御部１に出力される。交流電力検出部２１は、直流電源ユニット１６，１７で消費される商用電源の電力を検出するためのものであり、その検出値ＳＤ２は、システム制御部１に出力される。
【０１２９】
直流電源ユニット１６は、入力される商用電源に基づいて、エンジンユニットＵＥのロジック回路用の直流電源ＶＣ１（例えば、５ボルト）と、エンジンユニットＵＥに必要な駆動部用の直流電源ＶＤ１（例えば、２４ボルト）を形成するものであり、直流電源ＶＣ１，ＶＤ１は、それぞれ、直流電力検出部２２，２３を介し、エンジンユニットＵＥの必要な箇所に供給される。また、この直流電源ユニット１６の動作は、システム制御部１から出力される信号ＳＳ１に基づいて制御される。
【０１３０】
直流電力検出部２２，２３は、直流電源ＶＣ１，ＶＤ１の電圧値および電流値を検出するものであり、その検出値ＳＤ３，ＳＤ４は、システム制御部１に出力されている。
【０１３１】
直流電源ユニット１７は、入力される商用電源に基づいて、システム管理部ＵＳのロジック回路用の直流電源ＶＣ２（例えば、５ボルト）と、システム管理部ＵＳに必要な駆動部用の直流電源ＶＤ２（例えば、１２ボルト）を形成するものであり、直流電源ＶＣ２，ＶＤ２は、それぞれ、直流電力検出部２４，２５を介し、システム管理部ＵＳの必要な箇所に供給される。また、この直流電源ユニット１７は、主電源スイッチ（図示略）がオン投入されている場合には、常時、動作する。
【０１３２】
直流電力検出部２４，２５は、直流電源ＶＣ２，ＶＤ２の電圧値および電流値を検出するものであり、その検出値ＳＤ５，ＳＤ６は、システム制御部１に出力されている。
【０１３３】
また、交流電力検出部２０，２１は、より詳細には、電圧検出部と、電流検出部に分かれる。電圧と電流の２つの値を読み取り、掛け算した結果を消費電力とし、記録する。なお、記録する際、掛け算結果のみでなく、電圧と電流の元データもそのまま記録しても良い。
【０１３４】
そして、本実施例では、消費電力履歴情報テーブルの消費電力履歴情報における電力サンプリング値として、検出値ＳＤ１，ＳＤ２，ＳＤ３，ＳＤ４，ＳＤ５，ＳＤ６を１つのまとまりとして記録する。
【０１３５】
また、本実施例では、直流電源ユニット１６，１７について、入力側（一次側）の電力値と、出力側（二次側）の電力値をサンプリングしているので、直流電圧への変換効率を算出することができる。
【０１３６】
そのため、例えば、図１６（ａ），（ｂ）に示すように、統計情報を表示する際、直流電源の変換効率を併記することができる。
【０１３７】
ここで、一般的に直流電源の変換効率は、高負荷のときに高い変換効率を持たせ、低負荷のときは低い変換効率となる。よって、図１６（ａ），（ｂ）の一例では、画像形成装置の駆動部位が大きいとき、つまり、消費電力が大きい時のコピーやプリントモード時は高い変換効率の８０％となり、これに対し、スタンバイモードや低電力モード時は、低い変換効率の５０％となる。
【０１３８】
なお、スリープモード時は直流電源１６をオフして、直流電源１７からシステム管理部ＵＳに通常どおり電力を供給しているので、比較的高い変換効率の７０％となっている。
【０１３９】
また、直流電源を本実施例のように２つ設けている理由は、スリープモード時など２つの直流電源のうち一方をオフする省エネモード時に、高い変換効率を出し、直流電源のロスを低減するためである。その効果が、図１６（ｂ）で見て取れる。
【０１４０】
なお、直流電源出力側の電圧・電流の検出は、電力料金などに直接関係してこないため、測定は１秒周期毎でなく、１０秒など長い周期や、モードが切り替わって一定時間経過後の１回のみなどのサイクルで検出値を読み出し、記録することでも用途的に充分である。また、データ記憶容量や、システム制御部の処理能力に充分余裕がある場合は、もちろん１秒周期などで、直流電源の出力部の数値を検出しても良い。
【０１４１】
このようにして、本実施例では、直流電源の出力電力を検出することで、直流電源の変換効率、ロスを把握することができ、その画像形成装置の直流電源の有効活用度を知ることができ、使用者の省エネ意識の向上を図ることができる。
【０１４２】
また、直流電源の出力部の検出手段を、電圧と電流の２つとすることで、誤差の少ない出力電力を把握できる。
【０１４３】
ところで、上述した実施例では、複写機能、画像読取機能、プリンタ機能、ネットワークプリンタ機能、スキャン・ツー・イーメール機能などを備えたいわゆる複合機の画像形成装置について本発明を適用した場合について説明したが、本発明は、少なくとも省エネモードを備えた画像形成装置であれば、それ以外の構成を備える装置についても同様にして適用することができる。
【図面の簡単な説明】
【０１４４】
【図１】本発明の一実施例にかかる画像形成装置の一例を示したブロック図。
【図２】画像形成装置の動作について説明するためのタイムチャート。
【図３】消費電力履歴情報テーブル、消費電力履歴情報、および、電力サンプリング値の一例を示した概略図。
【図４】消費電力履歴情報のサンプリングに関する処理の一例を示したフローチャート。
【図５】コピー動作時の消費電力量の一例を示した概略図。
【図６】消費電力履歴表示の一例を示した概略図。
【図７】表示例を示した概略図。
【図８】統計表示例を示した概略図。
【図９】積算値の表示例を示した概略図。
【図１０】積算値の表示例の他の表示形態の一例を示した概略図。
【図１１】グラフ表示例を示した概略図。
【図１２】電力コスト設定画面の一例を示した概略図。
【図１３】ＣＯ２排出係数の設定画面、保存期間の設定画面、および、保存量の設定画面の一例を示した概略図。
【図１４】消費電力履歴表示の他の例を示した概略図。
【図１５】本発明の他の実施例にかかる画像形成装置の一例を示したブロック図。
【図１６】統計情報の他の表示例を示した概略図。
【符号の説明】
【０１４５】
ＵＳ  システム管理部
ＵＥ  エンジンユニット
ＵＰ  電源ユニット
１  システム制御部
２  操作表示部
４  磁気ディスク装置
５  ホストインタフェース回路
６  ネットワーク通信部
７  エンジン制御部
１２  画像形成駆動部
１４  ヒータ駆動部
１５，２０，２１  交流電力検出部
２２，２３，２４，２５  直流電力検出部
【図１】
2007295433.tif 000003
【図２】
2007295433.tif 000004
【図３】
2007295433.tif 000005
【図４】
2007295433.tif 000006
【図５】
2007295433.tif 000007
【図６】
2007295433.tif 000008
【図７】
2007295433.tif 000009
【図８】
2007295433.tif 000010
【図９】
2007295433.tif 000011
【図１０】
2007295433.tif 000012
【図１１】
2007295433.tif 000013
【図１２】
2007295433.tif 000014
【図１３】
2007295433.tif 000015
【図１４】
2007295433.tif 000016
【図１５】
2007295433.tif 000017
【図１６】
2007295433.tif 000018